(57)【特許請求の範囲】
【請求項１】
基体面に文字、数字、図柄などの不可視情報を有してなり、前記不可視情報が顕色剤インキにて不可視状態で施されてなると共に、前記不可視情報に隣接した領域に染料内包マイクロカプセルインキが不可視状態で塗布されてなる不可視情報所持体。
【発明の詳細な説明】
【０００１】
【発明の属する技術分野】
本発明は、不可視情報を爪先やコインなどで擦るなどして摩擦力を加えることにより、該不可視情報が発色して視認可能となるような機能を備えた不可視情報所持体に関する。
【０００２】
従来、スピードくじなどに利用されているスクラッチシートは、購入後、直ぐに景品や賞金の当たり、外れなどの情報が判明するように、当落を表す文字、数字、図柄などの隠蔽情報をスクラッチインキをもって被覆し、該情報を通常では見ることができないように構成している。しかしながら、このようなスクラッチシートではスクラッチインキを削り取る際にカスが発生するため、例えば、食品を取り扱う店舗による顧客サービスなどでは衛生上の問題から利用し難いものとなっていた。また、スクラッチインキの塗布部は肉厚が厚く硬度が小さいことから、尖ったものや固いものなどに不用意に接触し易く、スクラッチインキが簡単に剥ぎ取られてしまうという欠点もあった。さらに、スクラッチインキは暗色であるため、スクラッチシート全体がデザイン上、重く暗い感じとなるという問題もあった。
【０００３】
【発明が解決しようとする課題】
そこで、上記のような問題を抱えるスクラッチインキを用いることなく、スピードくじなどに利用できるスクラッチシートとして、当落を表す文字、数字、図柄などの隠蔽情報をスクラッチインキをもって被覆するのではなく情報自体を不可視情報として施し、これを従来のスクラッチシートと同様に爪先やコインで擦るなどして摩擦力を加えることにより、該情報が発色して発現するようにした技術が想到された。この方法では自己発色部を文字、数字、図柄などで構成し、これを不可視情報としており、自己発色部に所要の摩擦力を加えることでマイクロカプセルが破壊され、流出した染料が顕色剤と反応し、自己発色部が発色して不可視情報が発現する仕組みになっている。
【０００４】
したがって、この方法によれば、スクラッチインキの削りカスの発生はなく、また、自己発色部の厚さは従来のスクラッチインキの塗布厚よりも格段に薄く、尖ったものや固いものなどに接触して不用意に発色するというような問題も低減できる。さらに、暗色のスクラッチインキを使用せず、透明な染料内包マイクロカプセルインキや顕色剤インキを用いているため、従来のスクラッチインキを使用した場合のように、スクラッチシート全体が重く暗い感じとはならず、デザインの自由度が向上されるなどの効果を奏するものである。
【０００５】
しかしながら、この方法においても、自己発色部を形成する際に「地汚れ」が発生するといった欠点がある。この地汚れとは、不可視情報の形成時、マイクロカプセルに内包した染料がごく少量であるが漏洩し、これが顕色剤と反応して自己発色部が薄く発色する現象である。
【０００６】
そこで、本発明は、不可視情報を爪先やコインなどで擦るなどして摩擦力を加えることにより、該不可視情報が発色して発現する機能を備え、従来の染料内包マイクロカプセルと顕色剤を使用した方式における利点を活かしつつ、この方式の欠点である地汚れを防止した不可視情報所持体の提供を課題とする。
【０００７】
【課題を解決するための手段】
本発明者はインキ化した染料内包マイクロカプセルと顕色剤とを隣接するように配置させることでかかる課題を解決できることを見出し、本発明を想到した。すなわち、本発明の不可視情報所持体は、基体面に文字、数字、図柄などの不可視情報を有してなり、前記不可視情報が顕色剤インキにて不可視状態で施されてなると共に、前記不可視情報に隣接した領域に染料内包マイクロカプセルインキが不可視状態で塗布されてなることを特徴とする。
【０００８】
このような本発明の不可視情報所持体によれば、インキ化した染料内包マイクロカプセルインキと顕色剤インキとを隣接するように配置させているため、爪先やコインなどで擦ることにより、その摩擦力と往復運動によりマイクロカプセルが破壊され、流出した染料が隣接した顕色剤へ速やかに転移して反応し、不可視情報が発色して発現する。そして、従来のように、染料内包マイクロカプセルと顕色剤とが混合されたり、あるいはそれぞれが積層された状態ではないため、両者の接触部分が大幅に減少され、従来発生していた地汚れを防止できる。
【０００９】
【発明の実施の形態】
次に、本発明の不可視情報所持体について、これをスピードくじとして構成した好適な実施例を挙げ、さらに本発明を詳述する。なお、ここにおいて、図１は本発明に係わる不可視情報所持体の一例を示す平面説明図、図２は図１のＸ−Ｘ線断面説明図、図３は図１の一例において不可視情報を発現させる際の状態を示す断面説明図である。
【００１０】
図１および図２に示す不可視情報所持体１では、上質紙、合成紙あるいは合成フィルムなどの印刷用シートを基体２として用い、その基体２面に固定情報３が通常のインキをもって施されていると共に、この固定情報３が設けられた面と同一面側に不可視情報４が施されている。この不可視情報４は文字、数字、図柄などであって、透明性を有する顕色剤インキａをもって設けられている。さらに、その隣接する領域で不可視情報４を囲む枠５内に透明性を有する染料内包マイクロカプセルインキｂが不可視状態にて塗布されている。
【００１１】
この構成により、不可視情報４を発現させる際には、例えば、図３に示すように、不可視情報４の部分をコインを用いて擦ることにより、その摩擦力と往復運動により染料内包マイクロカプセルインキｂのマイクロカプセルが破壊され、カプセルから流出した染料が隣接した顕色剤インキａの顕色剤へ速やかに転移して反応し、不可視情報４が発色して発現する。そして、染料内包マイクロカプセルと顕色剤とが、従来のように混合あるいは積層された状態になく互いに隣接した状態にあるため、地汚れの発生を防止できる。
【００１２】
なお、本発明の顕色剤インキは、従来の電子受容性のレジンやクレーからなる顕色剤を酸化重合型、紫外線硬化型などのインキビヒクルや溶剤と混合してインキ化したものでよく、例えば、油溶性のフェノールホルマリン樹脂や酸性白土、あるいは芳香族カルボン酸誘導体などの顕色剤を芳香族炭化水素、アルコール、エステルなどの低沸点有機溶剤にアルキルベンゼンスルホン酸などの界面活性剤と共に溶解させて得たものなどであってもよい。
【００１３】
一方、本発明における染料内包マイクロカプセルの粒径は、一次粒子または数個が凝縮した二次粒子の状態において、その平均粒子径を５μｍ以下に調製したものが不可視情報の良好な発色が得られるためので好ましく、その染料内包マイクロカプセルをインキ化したものは、例えば、特開平７−２１６２７３号公報や特開平８−３９９２８号公報で公開されたマイクロカプセル含有油性塗料およびその製造方法に基づき調製されたものを用いるのがよい。すなわち、溶剤に溶解した状態のロイコ系染料を芯物質とし、酸触媒および乳化機能を有するスチレン−無水マレイン酸の部分加水分解物とメラミンまたは尿素とホルマリンを用い、インサイチュ法によって尿素−ホルマリン樹脂を形成し、これをカプセル壁材として生成したマイクロカプセルについて、そのカプセル壁材を覆うような状態でカプセル壁材およびインキビヒクルの双方に親和性のある界面活性剤層を設け、さらに真空蒸留法をもって水分を選択的に分離し除去することで、この界面活性剤層を介してインキビヒクル中に染料内包マイクロカプセルを分散せしめて得たものである。
【００１４】
このように調製された染料内包マイクロカプセルインキであれば、個々の染料内包マイクロカプセルが互いに固着する、すなわち二次凝集を生じて粒径が肥大する可能性は極めて低く、マイクロカプセル生成時と同様に平均粒径５μｍ以下を容易に達成できる。また、インキビヒクルを一般的に使用されている紫外線硬化型とすることにより、オフセット印刷機などにより、上質紙、合成紙あるいは合成フィルムなどの印刷用シートの任意の箇所にスポット的にインキ層を塗布することができる。
【００１５】
【発明の効果】
以上、説明した如く、本発明の不可視情報所持体によれば、爪先やコインなどで擦ることにより、その摩擦力と往復運動によりマイクロカプセルが破壊され、流出した染料が隣接した顕色剤へ速やかに転移して反応し、不可視情報が発色して発現する。そして、従来の染料内包マイクロカプセルと顕色剤を使用した方式における利点を活かしつつ、両者の接触部分が大幅に減少したことにより、従来発生していた地汚れを防止できるといった効果を泰する。
【図面の簡単な説明】
【図１】本発明に係わる不可視情報所持体の一例を示す平面明図。
【図２】図１のＸ−Ｘ線断面説明図。
【図３】図１の一例において不可視情報を発現させる際の状態を示す断面説明図。
【符号の説明】
１  不可視情報所持体
２  基体
３  固定情報
４  不可視情報
５  不可視情報の囲い枠
ａ  顕色剤インキ
ｂ  染料内包マイクロカプセルインキ
【図１】
0003883752.tif 000002
【図２】
0003883752.tif 000003
【図３】
0003883752.tif 000004